(57)【要約】【課題】足部が十分に暖かく保持され、人体に帯電していた静電気が除去される靴下を提供する。【解決手段】靴下１０は、爪先部１１、土踏まず部１３と爪先部１１との間の部分１２、土踏まず部１３、踵部１４、及び甲部からすね部を経由して履口に至る部分１５を、それぞれ緑系色の糸、黄系色の糸、紫系色の糸、赤系色の糸、及び青系色の糸で編成してなる。この靴下１０を着用することにより、足部が十分に暖かく保持され、人体に帯電していた静電気が除去される。【選択図】図１
2008115477.tif 000002
【特許請求の範囲】
【請求項１】
緑系色の糸、黄系色の糸、紫系色の糸、赤系色の糸及び青系色の糸で、この順又は逆の順に配色し、編成してなることを特徴とする靴下。
【請求項２】
爪先部、土踏まず部と爪先部との間の部分、土踏まず部、踵部、及び甲部からすね部を経由して履口部に至る部分を、それぞれ緑系色の糸、黄系色の糸、紫系色の糸、赤系色の糸、及び青系色の糸を用い、この順又は逆の順で編成してなる請求項１に記載の靴下。
【請求項３】
履口部から爪先部にかけて、緑系色の糸、黄系色の糸、紫系色の糸、赤系色の糸及び青系色の糸を用い、この順又は逆の順で、縞模様状に編成してなる請求項１に記載の靴下。
【発明の詳細な説明】
【技術分野】
【０００１】
本発明は、着用により、足部が暖かく保持され、血行が良くなる靴下に関する。
【背景技術】
【０００２】
近年、遠赤外線放射を利用する技術の開発が盛んに行われている。遠赤外線放射を利用する技術は、例えば暖房装置としてのヒーター等に応用され、人体等が熱吸収するのに適した熱放射体として、環状セラミックの中に熱源を入れたヒーターの構造等が知られている。
【０００３】
特許文献１には、熱源を用いずに人体に遠赤外線を作用させることを目的とし、足首から上部位に接する靴下の内面に、遠赤外線を放射する放射材料を転写した靴下の発明が開示されている。
【特許文献１】特開平１１−２７９８０４号公報
【発明の開示】
【発明が解決しようとする課題】
【０００４】
しかし、特許文献１等の従来の遠赤外線を放射する放射材料を含む靴下は、着用時の足部の暖まり方が不十分であるという問題があった。
【０００５】
本発明は斯かる事情に鑑みてなされたものであり、緑系色の糸、黄系色の糸、紫系色の糸、赤系色の糸及び青系色の糸で、この順又は逆の順に配色し、編成してなることにより、足部が十分に暖かく保持され、人体に帯電していた静電気が除去される靴下を提供することを目的とする。
【０００６】
また、本発明は、爪先部、土踏まず部と爪先部との間の部分、土踏まず部、踵部、及び甲部からすね部を経由して履口部に至る部分を、それぞれ緑系色の糸、黄系色の糸、紫系色の糸、赤系色の糸、及び青系色の糸を用い、この順又は逆の順で編成してなることにより、足部が十分に暖かく保持され、人体に帯電していた静電気が除去される靴下を提供することを目的とする。
【０００７】
そして、本発明は、履口部から爪先部にかけて、緑系色の糸、黄系色の糸、紫系色の糸、赤系色の糸及び青系色の糸を用い、この順又は逆の順で、縞模様状に編成してなることにより、足部が十分に暖かく保持され、人体に帯電していた静電気が除去される靴下を提供することを目的とする。
【課題を解決するための手段】
【０００８】
第１発明に係る靴下は、緑系色の糸、黄系色の糸、紫系色の糸、赤系色の糸及び青系色の糸で、この順又は逆の順に配色し、編成してなることを特徴とする。
【０００９】
第２発明に係る靴下は、第１発明において、爪先部、土踏まず部と爪先部との間の部分、土踏まず部、踵部、及び甲部からすね部を経由して履口部に至る部分を、それぞれ緑系色の糸、黄系色の糸、紫系色の糸、赤系色の糸、及び青系色の糸を用い、この順又は逆の順で、編成してなることを特徴とする。
【００１０】
第３発明に係る靴下は、第１発明において、履口部から爪先部にかけて、緑系色の糸、黄系色の糸、紫系色の糸、赤系色の糸及び青系色の糸を用い、この順又は逆の順で、縞模様状に編成してなることを特徴とする。
【発明の効果】
【００１１】
本発明の靴下は、その理由は明らかではないが、後述する評価試験で明らかなように、着用した靴下の表面温度が高くなっており、足部が十分に暖かく保持される効果を奏する。
また、その理由は明らかではないが、後述する評価試験で明らかなように、人体に帯電していた静電気が除去される。
【発明を実施するための最良の形態】
【００１２】
以下、本発明をその実施の形態を示す図面に基づき、具体的に説明する。
実施の形態１．
図１は、本発明の実施の形態１に係る靴下１０を示す平面図である。
靴下１０は、爪先部１１、土踏まず部１３と爪先部１１との間の部分１２、土踏まず部１３、踵部１４、及び甲部からすね部を経由して履口部に至る部分１５を、それぞれ緑系色の糸、黄系色の糸、紫系色の糸、赤系色の糸、及び青系色の糸で編成してなる。
【００１３】
［性能評価試験］
実施の形態１の靴下１０の性能評価を行うために、以下の評価試験を行った。
（１）人体の体表面の皮膚温度、及び人体が着用している衣服及び靴下の表面温度の測定  １３人の女子高校生に、白色一色の靴下と、実施の形態１の靴下１０とをそれぞれ着用してもらい、ＮＥＣ（株）製の「サーモトレーサ５１０８ＭＥ」を用い、各人の体表面の皮膚温度、及び各人が着用している衣服及び靴下の表面温度の測定を獣医師により行った。
その結果を図２〜図２７に示す。
【００１４】
図２は、被験者Ａが白色一色の靴下を着用した場合のサーモグラフィーを示す説明図、図３は、被験者Ａが靴下１０を着用した場合のサーモグラフィーを示す説明図、図４は、被験者Ｂが白色一色の靴下を着用した場合のサーモグラフィーを示す説明図、図５は、被験者Ｂが靴下１０を着用した場合のサーモグラフィーを示す説明図、図６は、被験者Ｃが白色一色の靴下を着用した場合のサーモグラフィーを示す説明図、図７は、被験者Ｃが靴下１０を着用した場合のサーモグラフィーを示す説明図、図８は、被験者Ｄが白色一色の靴下を着用した場合のサーモグラフィーを示す説明図、図９は、被験者Ｄが靴下１０を着用した場合のサーモグラフィーを示す説明図、図１０は、被験者Ｅが白色一色の靴下を着用した場合のサーモグラフィーを示す説明図、図１１は、被験者Ｅが靴下１０を着用した場合のサーモグラフィーを示す説明図、図１２は、被験者Ｆが白色一色の靴下を着用した場合のサーモグラフィーを示す説明図、図１３は、被験者Ｆが靴下１０を着用した場合のサーモグラフィーを示す説明図、図１４は、被験者Ｇが白色一色の靴下を着用した場合のサーモグラフィーを示す説明図、図１５は、被験者Ｇが靴下１０を着用した場合のサーモグラフィーを示す説明図、図１６は、被験者Ｈが白色一色の靴下を着用した場合のサーモグラフィーを示す説明図、図１７は、被験者Ｈが靴下１０を着用した場合のサーモグラフィーを示す説明図、図１８は、被験者Ｉが白色一色の靴下を着用した場合のサーモグラフィーを示す説明図、図１９は、被験者Ｉが靴下１０を着用した場合のサーモグラフィーを示す説明図、図２０は、被験者Ｊが白色一色の靴下を着用した場合のサーモグラフィーを示す図、図２１は、被験者Ｊが靴下１０を着用した場合のサーモグラフィーを示す説明図、図２２は、被験者Ｋが白色一色の靴下を着用した場合のサーモグラフィーを示す説明図、図２３は、被験者Ｋが靴下１０を着用した場合のサーモグラフィーを示す説明図、図２４は、被験者Ｌが白色一色の靴下を着用した場合のサーモグラフィーを示す説明図、図２５は、被験者Ｌが靴下１０を着用した場合のサーモグラフィーを示す説明図、図２６は、被験者Ｍが白色一色の靴下を着用した場合のサーモグラフィーを示す説明図、図２７は、被験者Ｍが靴下１０を着用した場合のサーモグラフィーを示す説明図である。
【００１５】
図２〜図２７より、各被験者とも、白色一色の靴下を着用した場合は、該靴下の表面温度は低いが、靴下１０を着用した場合、他部と比較して温度が高くなっており、この靴下１０を着用することにより、足部が十分に暖かく保たれることが分かる。
【００１６】
（２）人体の静電気の測定
春日電気（株）製の「人体電位計ＮＫ３００１」を用い、１９人の女子高校生に対して、実施の形態１の靴下１０の着用前と着用後それぞれの電位を測定した。その結果を図２８に示す。
図２８は、各被験者につき、靴下１０の使用前と使用後とで電位を測定した結果を示すグラフである。グラフの横軸は、被験者Ｎｏ．、縦軸は電位である。
図２８より、各人とも、靴下１０を着用することにより、体に帯電していた静電気が除去されたことが分かる。
【００１７】
以上の性能評価試験により、本実施の形態の靴下１０を着用することにより、足部が十分に暖かく保持され、人体に帯電していた静電気が除去されることが確認された。
【００１８】
実施の形態２．
図２９は、本発明の実施の形態２に係る靴下２０を示す平面図である。
靴下２０は、履口部から爪先部にかけて、緑系色の糸、黄系色の糸、紫系色の糸、赤系色の糸及び青系色の糸を用い、緑色部分２１、黄色部分２２、紫色部分２３、赤色部分２４及び青色部分２５と、縞模様状に編成してなる。
この靴下２０を着用することにより、足部が十分に暖かく保持され、人体に帯電していた静電気が除去されることが確認された。
【００１９】
なお、本実施の形態においては、履口部から爪先部にかけて、緑系色の糸、黄系色の糸、紫系色の糸、赤系色の糸及び青系色の糸を用い、この順で、縞模様状に編成した場合につき説明しているが、これに限定されるものではなく、この逆の順で、縞模様状に編成することにしてもよい。
【００２０】
また、本発明の靴下は、緑系色の糸、黄系色の糸、紫系色の糸、赤系色の糸及び青系色の糸で、この順に配色し、編成してあればよく、前記実施の形態１及び２で示した場合に限定されない。
例えば、多角形が相似状に拡がる模様につき、上記の配色を施すことにしてもよい。
【図面の簡単な説明】
【００２１】
【図１】本発明の実施の形態１に係る靴下を示す平面図である。
【図２】被験者Ａが白色一色の靴下を着用した場合のサーモグラフィーを示す説明図である。
【図３】被験者Ａが実施の形態１に係る靴下を着用した場合のサーモグラフィーを示す説明図である。
【図４】被験者Ｂが白色一色の靴下を着用した場合のサーモグラフィーを示す説明図である。
【図５】被験者Ｂが実施の形態１に係る靴下を着用した場合のサーモグラフィーを示す説明図である。
【図６】被験者Ｃが白色一色の靴下を着用した場合のサーモグラフィーを示す説明図である。
【図７】被験者Ｃが実施の形態１に係る靴下を着用した場合のサーモグラフィーを示す説明図である。
【図８】被験者Ｄが白色一色の靴下を着用した場合のサーモグラフィーを示す説明図である。
【図９】被験者Ｄが実施の形態１に係る靴下を着用した場合のサーモグラフィーを示す説明図である。
【図１０】被験者Ｅが白色一色の靴下を着用した場合のサーモグラフィーを示す説明図である。
【図１１】被験者Ｅが実施の形態１に係る靴下を着用した場合のサーモグラフィーを示す説明図である。
【図１２】被験者Ｆが白色一色の靴下を着用した場合のサーモグラフィーを示す説明図である。
【図１３】被験者Ｆが実施の形態１に係る靴下を着用した場合のサーモグラフィーを示す説明図である。
【図１４】被験者Ｇが白色一色の靴下を着用した場合のサーモグラフィーを示す説明図である。
【図１５】被験者Ｇが実施の形態１に係る靴下を着用した場合のサーモグラフィーを示す説明図である。
【図１６】被験者Ｈが白色一色の靴下を着用した場合のサーモグラフィーを示す説明図である。
【図１７】被験者Ｈが実施の形態１に係る靴下を着用した場合のサーモグラフィーを示す説明図である。
【図１８】被験者Ｉが白色一色の靴下を着用した場合のサーモグラフィーを示す説明図である。
【図１９】被験者Ｉが実施の形態１に係る靴下を着用した場合のサーモグラフィーを示す説明図である。
【図２０】被験者Ｊが白色一色の靴下を着用した場合のサーモグラフィーを示す説明図である。
【図２１】被験者Ｊが実施の形態１に係る靴下を着用した場合のサーモグラフィーを示す説明図である。
【図２２】被験者Ｋが白色一色の靴下を着用した場合のサーモグラフィーを示す説明図である。
【図２３】被験者Ｋが実施の形態１に係る靴下を着用した場合のサーモグラフィーを示す説明図である。
【図２４】被験者Ｌが白色一色の靴下を着用した場合のサーモグラフィーを示す説明図である。
【図２５】被験者Ｌが実施の形態１に係る靴下を着用した場合のサーモグラフィーを示す説明図である。
【図２６】被験者Ｍが白色一色の靴下を着用した場合のサーモグラフィーを示す説明図である。
【図２７】被験者Ｍが実施の形態１に係る靴下を着用した場合のサーモグラフィーを示す説明図である。
【図２８】各被験者につき、実施の形態１に係る靴下の使用前と使用後とで電位を測定した結果を示すグラフである。
【図２９】本発明の実施の形態２に係る靴下を示す平面図である。
【符号の説明】
【００２２】
１０  靴下
１１  爪先部
１２  土踏まず部と爪先部との間の部分
１３  土踏まず部
１４  踵部
１５  甲部からすね部を経由して履口部に至る部分
２０  靴下
２１  緑色部分
２２  黄色部分
２３  紫色部分
２４  赤色部分
２５  青色部分
【図１】
2008115477.tif 000003
【図２】
2008115477.tif 000004
【図３】
2008115477.tif 000005
【図４】
2008115477.tif 000006
【図５】
2008115477.tif 000007
【図６】
2008115477.tif 000008
【図７】
2008115477.tif 000009
【図８】
2008115477.tif 000010
【図９】
2008115477.tif 000011
【図１０】
2008115477.tif 000012
【図１１】
2008115477.tif 000013
【図１２】
2008115477.tif 000014
【図１３】
2008115477.tif 000015
【図１４】
2008115477.tif 000016
【図１５】
2008115477.tif 000017
【図１６】
2008115477.tif 000018
【図１７】
2008115477.tif 000019
【図１８】
2008115477.tif 000020
【図１９】
2008115477.tif 000021
【図２０】
2008115477.tif 000022
【図２１】
2008115477.tif 000023
【図２２】
2008115477.tif 000024
【図２３】
2008115477.tif 000025
【図２４】
2008115477.tif 000026
【図２５】
2008115477.tif 000027
【図２６】
2008115477.tif 000028
【図２７】
2008115477.tif 000029
【図２８】
2008115477.tif 000030
【図２９】
2008115477.tif 000031